(57)【特許請求の範囲】
【請求項１】
可視光および可視光以外の波長の光を発する光源と、
前記光源が端部に配置され、前記光源から入射した光を長軸方向に伝搬させる、棒状に形成された導光体と、
前記導光体の外形面に配置され、前記長軸方向に沿ってライン状に形成された反射層と、
前記反射層および前記導光体を囲み、前記長軸方向と直交する方向に所定の幅を有し、かつ前記長軸方向に沿って延在する開口部に第２反射層が形成された支持部材と、
を備え、
前記反射層および前記支持部材は、可視光および可視光以外の波長の光を反射し、可視光以外の波長の光に対する反射率が可視光に対する反射率よりも低い樹脂材料又は白インクで構成される可視光の波長の光の反射用の第１の光反射物質と、可視光以外の波長の光の反射に関して、前記第１の光反射物質よりも反射率が高く、可視光の波長の光の反射に関して、前記第１の光反射物質と同等の反射率であるセラミックス及び金属酸化物で構成され、紫外線領域の光の波長において、前記セラミックスの反射率が前記金属酸化物の反射率より高く、赤外線領域の光の波長において、前記金属酸化物の反射率が前記セラミックスの反射率より高い第２の光反射物質と、を含有する反射材により形成される、光源ユニット。
【請求項２】
前記反射層は、前記導光体の外形面の一部に形成された、
請求項１に記載の光源ユニット。
【請求項３】
前記反射層は、前記導光体の外形面の一部に配置された反射プリズムに形成された、
請求項１に記載の光源ユニット。
【請求項４】
前記反射層は、前記反射材が塗布または前記反射材を含むシートが貼付されて形成され、
前記支持部材は、前記反射材が塗布または前記反射材を含むシートが貼付されて形成される、
請求項１から３のいずれか１項に記載の光源ユニット。
【請求項５】
前記導光体は、前記長軸方向と直交する断面の外形が、円形、楕円、矩形のいずれかの形状である、
請求項１から４のいずれか１項に記載の光源ユニット。
【請求項６】
請求項１から５のいずれか１項に記載の光源ユニットと、
前記光源ユニットによって照射された被照射体から反射した光を収束するレンズ体と、  前記レンズ体により収束された光を受光する受光部と、
前記光源ユニット、前記レンズ体および前記受光部を収納する筐体と、
を備える、画像読取装置。
【発明の詳細な説明】
【技術分野】
【０００１】
本発明は、光源ユニットおよび画像読取装置に関する。
【背景技術】
【０００２】
画像読取装置は、紙様状媒体の読取判別装置や、工業用の検査装置などに使用されている。例えば、画像読取装置は、マークシート、紙幣、小切手などの読み取りに使用されている。【０００３】
読み取り対象が紙幣や小切手である場合、その紙面に特殊な印刷が施されていることがある。例えば、紙幣の場合、真贋判定が可能であるように、赤外線（波長：７５０ｎｍ以上）にのみ反射する不可視インクで印刷されることがある。また、同様の目的で、紙幣が紫外線（波長：３００〜４００ｎｍ）の照射で蛍光発光する不可視インクで印刷されることがある。【０００４】
このような特殊な印刷が施された紙幣や小切手を読み取る場合、通常印刷の読み取りに使用される可視光（波長：４００〜７５０ｎｍ）に加えて、赤外線や紫外線を照射し、その反射光や蛍光発光する光を読み取る必要がある。【０００５】
このような課題を解決するため、特許文献１には、複数の光源を備え、これらの光源が互いに異なる波長の光を発する画像読取装置が開示されている。特許文献１の画像読取装置は、第１の光源と、第１の光源からの光を読取対象に向けて出射するように構成された第１の導光体と、第２の光源と、第２の光源からの光を読取対象に向けて出射するように構成され、かつ第１の導光体と平行に配列された第２の導光体と、第１および第２の導光体の間に配置されたレンズユニットおよび受光手段とを備え、第１の光源が発する光の波長と、第２の光源が発する光の波長とが異なっている。【０００６】
また、特許文献２には、紫外線を照射して蛍光を発光させるときに使用される、紫外線照射装置が開示されている。この紫外線照射装置は、紫外線を発光するＬＥＤと、該ＬＥＤが発する光に対して透明な導光体とを備え、該導光体が非晶質のフッ素樹脂で形成され、導光体を介して光をライン状に出射する。【０００７】
光を散乱する微粒子が混入された樹脂からなる導光体に対して背後面または側方端面から光を投入する方式は、焦照度の確保や均一性に問題があるため、特許文献２の紫外線照射装置は、紫外線を発光するＬＥＤをライン状に複数個、定間隔に配置し、これらＬＥＤからの光を紫外線に対して透明かつ長尺の導光体に入光させている。特許文献２によれば、隣接するＬＥＤから出射した光は、扇形に拡がった光の端が互いに重なるので、光の分布が均一なライン光源が提供される。
【先行技術文献】
【特許文献】
【０００８】
【特許文献１】特開２０１０−５０６８９号公報
【特許文献２】特開２００１−２２９７２２号公報
【発明の概要】
【発明が解決しようとする課題】
【０００９】
しかしながら、複数の光源が互いに異なる波長の光を発する画像読取装置であっても、可視光と可視光以外の光（例えば、赤外線や紫外線）では、導光体や反射板等の、屈折率、透過率、反射率が異なるので、可視光以外の光の光量レベルや光線分布が可視光の場合と異なるものとなってしまい、十分な照射特性が得られないことがあった。【００１０】
また、紫外線照射装置を利用した場合も、可視光照射装置とその光量レベルが異なるものとなり、上記と同様に、十分な照射特性が得られないことがあった。【００１１】
本発明は、上記のような課題を解消するためになされたもので、可視光および可視光以外の光で読み取り可能な照射特性が得られる光源ユニットおよび画像読取装置を提供することを目的とする。
【課題を解決するための手段】
【００１２】
上記の目的を達成するため、本発明に係る光源ユニットは、可視光および可視光以外の波長の光を発する光源と、光源が端部に配置され、光源から入射した光を長軸方向に伝搬させる、棒状に形成された導光体と、導光体の外形面に配置され、長軸方向に沿ってライン状に形成された反射層と、反射層および導光体を囲み、長軸方向と直交する方向に所定の幅を有し、かつ長軸方向に沿って延在する開口部に第２反射層が形成された支持部材と、を備える。反射層および支持部材は、可視光および可視光以外の波長の光を反射し、可視光以外の波長の光に対する反射率が可視光に対する反射率よりも低い樹脂材料又は白インクで構成される可視光の波長の光の反射用の第１の光反射物質と、可視光以外の波長の光の反射に関して、第１の光反射物質よりも反射率が高く、可視光の波長の光の反射に関して、第１の光反射物質と同等の反射率であるセラミックス及び金属酸化物で構成され、紫外線領域の光の波長において、セラミックスの反射率が金属酸化物の反射率より高く、赤外線領域の光の波長において、金属酸化物の反射率がセラミックスの反射率より高い第２の光反射物質と、を含有する反射材により形成される。
【発明の効果】
【００１３】
本発明に係る光源ユニットおよび画像読取装置によれば、可視光および可視光以外の光で読み取り可能な照射特性を得ることができる。
【図面の簡単な説明】
【００１４】
【図１】本発明の実施の形態１に係る画像読取装置の構成を説明するための分解図である。
【図２】図１に示す画像読取装置のガラスプレート側から見た平面図である。
【図３】図２におけるＡ−Ａ断面図である。
【図４】図３の断面図の右側端部を拡大した図である。
【図５】図２におけるＢ−Ｂ断面図である。
【図６】図５の光源ユニットを拡大した図である。
【図７】実施の形態１に係る支持部材の第２反射層を構成する物質の反射率の例を示した図である。
【図８】本発明の実施の形態２に係る光源ユニットの構成を説明するための断面図である。
【図９】本発明の実施の形態３に係る画像読取装置の副走査方向の断面図である。
【図１０】実施の形態３に係る光源ユニットの構成を説明するための断面図である。
【図１１】本発明の実施の形態４に係るに係る光源ユニットの構成を説明するための断面図である。
【発明を実施するための形態】
【００１５】
（実施の形態１）
以下、本発明を実施するための形態について図面を参照して詳細に説明する。なお図中、同一または同等の部分には同一の符号を付す。図１は、本発明の実施の形態１に係る画像読取装置の構成を説明するための分解図である。
【００１６】
画像読取装置１０１は、図１に示すように、ガラスプレート１、導光体２、支持部材３、ＬＥＤ（light emitting diode）基板５、熱伝導シート６、放熱板７、レンズ８、センサチップ１１を有するセンサ基板１０で構成されている。
【００１７】
導光体２、ＬＥＤ基板５、熱伝導シート６および放熱板７は、ホルダー４により連結される。具体的には、ホルダー４に、円筒状の貫通孔と位置決めピンが形成され、貫通孔には導光体２が嵌め込まれ、位置決めピンに、ＬＥＤ基板５、熱伝導シート６および放熱板７の貫通孔が挿入される。
【００１８】
支持部材３およびレンズ８は、ホルダー４に位置決めされた導光体２、ＬＥＤ基板５等とともにフレーム９に収納される。各部品を収容したフレーム９は、ガラスプレート１とセンサ基板１０の間に配置されて組み立てられる。組み立てられた画像読取装置１０１は、以下のように動作する。
【００１９】
図２は、図１に示す画像読取装置のガラスプレート側から見た平面図である。図３は、図２におけるＡ−Ａ断面図である。画像読取装置１０１は、図１に示すガラスプレート１上の読み取り対象を副走査方向Ｙに沿って移動させながら、読み取り対象に主走査方向Ｘに延びる線状光を照射する。読み取り対象からの光は、主走査方向Ｘに沿って配列された複数の円柱状のレンズで構成されるレンズ８により収束され、図２に示すセンサ基板１０上のセンサチップによって受光される。
【００２０】
センサチップは、センサ基板１０の上で主走査方向Ｘに配置され、画素ごとの光信号を電気信号として外部へ出力するように構成されている。センサチップには受光した光に応じて光起電力が生じ、センサチップによって光のエネルギーが電子信号に変換される。読み取り対象からの光をセンサチップが受光することにより、画像読取装置１０１は、読み取り対象を画像データとして読み取る。以下、画像読取装置１０１の詳細な構成を説明する。
【００２１】
図４は、図３の断面図の右側端部を拡大した図である。図４に示すＬＥＤ基板５は、ＬＥＤチップ１２が点灯しているときに発生する熱を放熱させるため、例えば、セラミック基板、アルミ基板、リジットフレキ基板等で構成されている。ＬＥＤチップ１２の熱をさらに効率よく放熱するため、ＬＥＤ基板５の一方の面には、熱伝導シート６と放熱板７が設けられる。
【００２２】
ＬＥＤ基板５には、熱伝導シート６および放熱板７が設けられた面と反対の面に、複数のＬＥＤチップ１２が実装されている。具体的には、可視光を発するＬＥＤチップ１２と、可視光以外の波長の光（紫外線から赤外線までの波長の光）を発するＬＥＤチップ１２が実装されている。可視光以外の波長の光を発するＬＥＤチップ１２には、例えば、波長が約３６５ｎｍの紫外線を発するＬＥＤチップや、約９４０ｎｍの赤外線を発するＬＥＤチップがある。画像読取装置１０１には、前者のＬＥＤチップが用いられる。これらのＬＥＤチップ１２は、可視光および可視光以外の波長の光を発する光源として機能する。
【００２３】
ＬＥＤチップ１２は、導光体２の端面と対向するように配置されている。このため、ＬＥＤチップ１２が光を発すると、その光は導光体２の端面から導光体２の内部に向かって入射する。
【００２４】
導光体２は、好ましくは可視光と可視光以外の光（紫外線から赤外線までの波長の光）を透過する材料、より好ましくは紫外線により劣化しにくい材料で形成される。これにより、画像読取装置１０１は、可視光を発するＬＥＤチップ１２と、可視光以外の波長の光を発するＬＥＤチップ１２が実装されても、可視光から可視光以外の波長の光にわたって十分な照射が可能である。このような材料には、例えば、シクロオレフィンポリマー樹脂がある。
【００２５】
導光体２は、棒状に延びた円柱状に形成されている。ＬＥＤチップ１２から入射した光は、円柱端面から入射し、導光体２の内部で全反射し、円柱の長軸方向、すなわち主走査方向に向かって光が伝搬する。伝搬された光は、乱反射されて、主走査方向に延びる線状光としてガラスプレート１側に出射される。これにより、ＬＥＤチップ１２が発光した光は、ガラスプレート１上の読み取り対象を照射する。
【００２６】
導光体２は、導光体２の円筒面の一部を支持する支持部材３に保持されている。支持部材３は、導光体２から漏れた光を再度導光体２に入射させる第２反射層を有し、ＬＥＤチップ１２および導光体２とともに、画像読取装置１０１の光源ユニットを構成している。
【００２７】
図５は、図２におけるＢ−Ｂ断面図である。図６は、図５の光源ユニットを拡大した図である。導光体２は、図５および図６に示すように、導光体２を構成する円柱の円周面に、円柱の長軸方向に沿ってライン状に形成された反射層１５を有している（反射層または反射材が印刷法により塗布されて形成された層であるので、印刷反射パターンともいう）。
【００２８】
反射層１５は、導光体２の長軸方向と直交する方向に所定の幅を有する平板状に形成されている。このため、導光体２内で長軸方向に伝搬した光は、反射層１５の面に対して略垂直方向（図６に示すＳ方向）を中心とする方向に反射、散乱される。反射層１５がライン状であるため、反射、散乱される光は、線状光として出射する。
【００２９】
導光体２および反射層１５は、支持部材３により支持されている（以下、支持部材３はサポートともいい、また反射層を有するので、反射構造体ともいう）。
【００３０】
支持部材３は、導光体２の長軸方向と直交する方向に所定の幅を有し、その長軸方向に沿って延在する開口部を有している。この開口部は、導光体２の円周面の一部とほぼ同じ形状の曲面状に形成され、この曲面が導光体２の円周面の一部と反射層１５全体を囲むように支持している。
【００３１】
支持部材３の開口部曲面には、第２反射層が形成されている。この第２反射層は、反射層１５全体を囲む開口部曲面全体に形成されているので、導光体２の内部で全反射しないで支持部材３側に漏れた光は、支持部材３の第２反射層によって再度導光体２に入射する。このように、支持部材３の反射層は、画像読取装置１０１の光の利用効率を高める。
【００３２】
画像読取装置１０１のＬＥＤチップ１２は、可視光および可視光以外の波長の光を発するので、支持部材３の第２反射層は、可視光および可視光以外の波長の光を反射する必要がある。これは、導光体２の反射層１５についても同じである。そこで、支持部材３の第２反射層および導光体２の反射層１５は、可視光以外の波長の光を反射する物質、すなわち、反射材として用いられる一般的な物質（樹脂や金属等）よりも可視光以外の波長の光に対する反射率が大きい物質を含有し、かつ可視光および可視光以外の波長の光を反射する反射材により形成されている。以下、支持部材３の第２反射層を例に説明する。図７は、本発明の実施の形態１に係る支持部材の第２反射層を構成する物質の反射率の例を示した図である。
【００３３】
図７に示す３００〜１０００ｎｍ波長の光のうち、互いに異なる複数の波長領域の光を発光する光源、例えば、紫外線と可視光の波長の光を発する光源、可視光と赤外線の波長の光を発する光源、または紫外線、可視光および赤外線の波長の光を発する光源を画像読取装置に使用する場合、理想的な材料は、これらの複数の波長領域全体にわたって均一な反射率を示す材料である（図７に示す「理想材料」）。このような材料であれば、これらの複数の波長領域全体全体にわたって同じような強度の光が出射され、光の利用効率がよい。このため、読み取り対象が例えば、赤外線にのみ反射する不可視インクや紫外線で蛍光発光する不可視インクで印刷された紙幣や小切手であっても、十分な照射特性が得られる画像読取装置が提供可能である。
【００３４】
一方、図７に示す樹脂材料や一般的な反射用インク材の場合、可視光以外の波長の光（例えば、紫外線や赤外線領域の光）の反射率は、可視光領域の反射率と比較して低い（図７に示す「樹脂材料」）。このため、このような材料だけでは紫外線や赤外線を十分に反射できず、このような材料で導光体２の反射層１５や支持部材３の第２反射層を形成しても、紫外線や赤外線の領域で十分な照射特性が得られない。
【００３５】
このような照射特性を改善するため、導光体２の反射層１５または支持部材３の第２反射層は、好ましくは、可視光以外の波長の光（例えば、紫外線や赤外線領域の光）で反射率が高い物質を添加した反射材、例えば、可視光以外の波長の光を、上記の樹脂材料や反射用インク材よりも高く反射する反射材を用いて形成される。このような物質であれば、可視光以外の波長の光の反射率が低い物質に対して、その波長領域での反射率を向上させることが可能であり、光源ユニットの光の利用効率を高めることが可能である。
【００３６】
例えば、導光体２の反射層１５または支持部材３の第２反射層は、樹脂材料または反射用インク材に、金属酸化物（酸化チタンや酸化亜鉛等）、セラミックス（アルミナ等）が単独で添加または混合されて形成される。
【００３７】
具体的には、導光体２の反射層１５および支持部材３の第２反射層は、図７に示すように、３００ｎｍ波長の光に対して７３％以上の反射率（３００〜４００ｎｍ波長の紫外線に対して７３％以上の反射率）および、９００ｎｍ波長の光に対して９０％以上の反射率（９００〜１０００ｎｍ波長の赤外線に対して８０％以上）を示すアルミナを顔料として、樹脂材料に含有させた反射材料により形成される（図７に示す「ＵＶ反射材（アルミナ）」）。
【００３８】
あるいは、導光体２の反射層１５および支持部材３の第２反射層は、図７に示すように、３００ｎｍ波長の光に対して２４％以上の反射率（３００〜４００ｎｍ波長の紫外線に対して２２％以上の反射率）および、９００ｎｍ波長の光に対して９６％以上の反射率（９００〜１０００ｎｍ波長の赤外線に対して９３％以上）を示すＴｉＯ２，ＺｎＯ２を顔料として、樹脂材料に含有させた反射材料により形成される（図７に示す「ＴｉＯ２、ＺｎＯ２（酸化金属）」参照）。この顔料には、ＴｉＯ２，ＺｎＯ２とともに上記のアルミナが含有されることも可能である。
【００３９】
図７に示す樹脂材料（アクリル樹脂）の場合、３００ｎｍ波長の光に対して３％未満の反射率（３００〜４００ｎｍ波長の紫外線に対して３％未満の反射率）または、９００ｎｍ波長の光に対して７０％の反射率（９００〜１０００ｎｍ波長の赤外線に対して４７％以上の反射率）しかないが、このような材料が顔料として添加されると、上記紫外線および赤外線の領域で反射率を向上させることが可能である。
【００４０】
アルミナおよびＴｉＯ2，ＺｎＯ2が顔料として添加される樹脂材料には、アクリル系樹脂のほか、例えば、セルロース樹脂、メラミン系樹脂、ビニル樹脂、フェノール樹脂、エステル樹脂などがある。また、これらの樹脂に白色顔料（炭酸カルシウム、ケイ酸アルミニウム等）が添加された樹脂も含まれる。
【００４１】
本実施の形態における導光体２の反射層１５は、反射用インク材に金属酸化物およびセラミックスが顔料として添加され、この顔料が添加された反射用インク材が印刷法により塗布されて形成されている。反射用インク材は、白インクと呼ばれる材料であり、例えば、アクリル系樹脂、ケトン樹脂等に、炭酸カルシウム、ケイ酸アルミニウム、硫酸バリウムなどの白色顔料と、粘度の調整等を目的とした有機溶剤（例えば、トルエン）とが添加された材料である。
【００４２】
また、本実施の形態における支持部材３の第２反射層は、樹脂材料に金属酸化物およびセラミックスが添加され、この樹脂材料が支持部材３表面に塗布されて形成されている。この樹脂材料は、白色樹脂が含まれる。白色樹脂は、例えば、アクリル系樹脂に、上記の白色顔料が添加された材料である。
【００４３】
このように、導光体２の反射層１５および支持部材３の第２反射層は、好ましくは、３００ｎｍ波長の光を２４％以上、または９００ｎｍ波長の光を９０％以上、より好ましくは、３００ｎｍ波長の光を７３％以上、または９００ｎｍ波長の光を９６％以上、反射する物質を含有して形成されている。従って、導光体２の反射層１５および支持部材３の第２反射層は、紫外線や赤外線領域でも高い反射率を示す。このため、画像読取装置１０１の光源ユニットは、可視光と可視光以外の波長の光の両方で十分な光量の照射が可能である。このため、画像読取装置１０１は、可視光と可視光以外の波長の光の両方で精度の高い読み取りが可能である。
【００４４】
実施の形態１では、円柱状の導光体２を例に説明したが、このような形態に限定されない。例えば、画像読取装置１０１の導光体２は楕円柱状に形成されてもよい。
【００４５】
実施の形態１では、支持部材３の第２反射層は開口部の曲面全体に形成されていたが、例えば、開口部の、導光体２の反射層１５と対向する一部（導光体２の長軸に沿ったライン状の形状等）に形成されてもよい。
【００４６】
（実施の形態２）
実施の形態２に係る光源ユニットは、反射プリズム１６（プリズム反射パターンともいう）を利用する光源ユニットである。図８は、本発明の実施の形態２に係る光源ユニットの構成を説明するための断面図である。なお、図８において、Ｓは光の散乱方向（出射方向）を示している。
【００４７】
図８に示すように、実施の形態２に係る光源ユニットは、ＬＥＤチップ１２から長軸方向に向かって伝搬した光を反射する反射プリズム１６を有している。
【００４８】
反射プリズム１６は、実施の形態１の反射層１５と同様に、導光体２を構成する円柱の円周面に、長軸方向に向かってライン状に形成されている。このため、導光体２内で長軸方向に伝搬した光は、反射プリズム１６によって反射、散乱されて、長軸方向とほぼ直交する方向（図８に示すＳ方向）に線状光として出射する。
【００４９】
反射プリズム１６は、光の屈折により導光体２内に伝搬する光を反射するが、光の波長によって屈折率が異なるために、可視光と可視光以外の光（紫外線から赤外線までの波長の光）では、その光量および分布が均一でない。このため、例えば、紫外線や赤外線を十分に反射できず、紫外線や赤外線の領域で十分な照射特性が得られないことがある。
【００５０】
このような背景から、実施の形態２では、反射プリズム１６および支持部材３が、第３反射層１７をそれぞれ有する（第３反射層１７は反射材料または高反射インクともいう）。
【００５１】
第３反射層１７は、反射プリズム１６の表面または支持部材３の開口部曲面に形成される。第３反射層１７の材料は、実施の形態１と同様に、可視光以外の波長の光を反射する物質を含有し、かつ可視光および可視光以外の波長の光を反射する反射材である。例えば、第３反射層１７は、金属酸化物やセラミックスを顔料とした白インクが塗布されて形成される。このため、実施の形態２の光源ユニットは、読み取り対象に十分な光量の紫外線や赤外線を照射することが可能である。
【００５２】
なお、本実施の形態では、反射プリズム１６および支持部材３が、第３反射層１７を有する形態を説明したが、反射プリズム１６および支持部材３のいずれか一方が第３反射層１７を有する形態であってもよい。
【００５３】
（実施の形態３）
実施の形態３に係る画像読取装置は、断面矩形に形成された導光体を利用する画像読取装置である。図９は、本発明の実施の形態３に係る画像読取装置の副走査方向の断面図である。図１０は、実施の形態３に係る光源ユニットの構成を説明するための断面図である。図９および図１０において、Ｓは光の散乱方向（出射方向）を示している。
【００５４】
画像読取装置１０１は、図９および図１０に示すように、断面矩形に形成された導光体２ａと、断面矩形に形成された導光体２ａを収納可能な開口部を有する支持部材３ａとを備えている。
【００５５】
導光体２ａは、断面矩形の辺のうち、支持部材３ａ側の底辺に反射層１５が配置されている。導光体２ａの反射層１５は、この底辺全面に形成され、その材料および形成方法は、実施の形態１と同様である。このため、導光体２ａ内に伝搬する光は、底辺にある反射層１５によって反射、散乱されて、底辺と反対側の方向に線状光として出射する。
【００５６】
支持部材３ａは、断面矩形に形成された導光体２ａの側面および底面を支持するように、直方体形状に形成された開口部を有している。この開口部は、その底面に、実施の形態１と同様の第２反射層が配置され、導光体２ａから漏れた光を反射するように形成されている。
【００５７】
実施の形態３でも、導光体２ａの反射層１５および支持部材３ａの第２反射層の作用は同じであるので、画像読取装置１０１は、読み取り対象に十分な光量の紫外線や赤外線を照射することが可能である。
【００５８】
なお、画像読取装置１０１には、センサチップ１１への入射光を制限する光学フィルタを設けてもよい。例えば、紫外線の照射の蛍光を読み取る場合に、センサチップ１１に紫外線が照射されないように、センサチップ１１とレンズ８との間にＵＶカットフィルタ１３を設けることも可能である。
【００５９】
（実施の形態４）
実施の形態４に係る光源ユニットは、断面矩形に形成され、かつ反射プリズム１６を有する導光体２ａを利用する光源ユニットである。図１１は、本発明の実施の形態４に係るに係る光源ユニットの構成を説明するための断面図である。
【００６０】
図１１に示す光源ユニットは、断面矩形に形成された導光体２ａを備え、導光体２ａは、断面矩形の底辺側に配置された反射プリズム１６を有している。
【００６１】
反射プリズム１６は、実施の形態２と同様に、その表面に第３反射層１７を有している。その材料および形成方法は、実施の形態２と同様である。すなわち、第３反射層１７は、反射プリズム１６上に、金属酸化物やセラミックスを顔料とした白インクが塗布されて形成されている。
【００６２】
支持部材３ａは、断面矩形に形成された導光体２ａの側面および底面を支持するように、直方体形状に形成された開口部を有している。この開口部の底面には、実施の形態２と同様に、金属酸化物やセラミックスを顔料とした白インクが塗布されて形成された第３反射層１７が配置されている。このため、実施の形態４の光源ユニットも、読み取り対象に十分な光量の紫外線や赤外線を照射することが可能である。
【００６３】
以上、本発明の実施の形態について説明したが、本発明は上記の実施の形態等に限定されるものではない。例えば、以上の形態では、導光体２の反射層１５または支持部材３の第２反射層が塗布されて形成される形態を説明したが、例えば、金属酸化物またはセラミックスが添加された樹脂材料で形成されたシートが導光体２または支持部材３に貼付されて反射層が形成されてもよい。
【００６４】
また、本実施の形態では、ＬＥＤ基板５にＬＥＤチップ１２が直接実装されていたが、ＬＥＤ基板５は、ＬＥＤチップ１２が実装されたパッケージが実装されてもよい。
【００６５】
上記実施の形態は、いずれも本発明の趣旨の範囲内で各種の変形が可能である。上記実施の形態は本発明を説明するためのものであり、本発明の範囲を限定することを意図したものではない。本発明の範囲は実施形態よりも添付した請求項によって示される。請求項の範囲内、および発明の請求項と均等の範囲でなされた各種変形は本発明の範囲に含まれる。
【００６６】
本出願は、２０１１年１２月２７日に出願された、明細書、特許請求の範囲、図、および要約書を含む日本国特許出願２０１１−２８６０９１号に基づく優先権を主張するものである。この元となる特許出願の開示内容は参照により全体として本出願に含まれる。
【符号の説明】
【００６７】
１０１  画像読取装置、１  ガラスプレート、２，２ａ  導光体、３，３ａ  支持部材、４  ホルダー、５  ＬＥＤ基板、６  熱伝導シート、７  放熱板、８  レンズ、９  フレーム、１０  センサ基板、１１  センサチップ、１２  ＬＥＤチップ、１３  ＵＶカットフィルタ、１５  反射層、１６  反射プリズム、１７  第３反射層、２１  読み取り対象。
【図１】
0005635203.tif 000002
【図２】
0005635203.tif 000003
【図３】
0005635203.tif 000004
【図４】
0005635203.tif 000005
【図５】
0005635203.tif 000006
【図６】
0005635203.tif 000007
【図７】
0005635203.tif 000008
【図８】
0005635203.tif 000009
【図９】
0005635203.tif 000010
【図１０】
0005635203.tif 000011
【図１１】
0005635203.tif 000012